(57)【要約】【課題】主走査方向と副走査方向とのなす角度が所定角度に対してずれた場合でも、所望する形状に被切断媒体を切断できる切断装置、及び切断プログラムを提供する。【解決手段】切断装置は、互いに直交するＸ軸及びＹ軸によって示される座標系に基づいて切断位置を特定する切断データに応じて、被切断媒体を切断する。切断装置は、カッタが保持されるヘッド、ヘッドに対して被切断媒体を、Ｘ方向Ｙ方向に相対移動させる移動機構を有する。切断装置は、テンプレート切断データに基づき、テンプレートを形成する（Ｓ２１）。切断装置は、直線状の折り目直線を前記被切断媒体に形成する（Ｓ２１）。切断装置は、切断孔に応じた補正情報を特定する（Ｓ２３）。切断装置は、補正情報に基づいてＸ軸の角度が補正された補正Ｘ軸とＹ軸とによって示される座標系に基づいて、切断データを補正する（Ｓ２９）。【選択図】図８
2018015849.tif 000002
【特許請求の範囲】
【請求項１】
互いに直交する第１軸及び第２軸によって示される座標系に基づいて切断位置を特定する切断データに応じて被切断媒体を切断する切断装置であって、
切断具が保持される保持部と、
前記保持部に対して前記被切断媒体を、前記第１軸に対応する第１方向、及び、前記第２軸に対応する第２方向に相対移動させる移動機構と、
テンプレート切断データに基づき、前記移動機構を駆動して前記被切断媒体を前記切断具で切断することによって、複数の切断孔を有するテンプレートを前記被切断媒体に形成する切断手段と、
前記移動機構を駆動し、前記第１方向と平行な直線状の折り目直線を前記被切断媒体に形成する第１形成手段と、
前記切断手段によって前記被切断媒体に形成された前記切断孔に応じた補正情報を特定する第１特定手段と、
前記第１特定手段によって特定された前記補正情報に基づいて前記第１軸の角度が補正された補正第１軸と前記第２軸とによって示される座標系に基づいて、前記切断データを補正する補正手段と
を備え、
前記テンプレートは、前記折り目直線を挟んで前記第２方向に対向する２つの前記切断孔を含む切断孔組を複数有し、
それぞれの前記切断孔組に含まれる前記２つの切断孔は、それぞれ、前記第１方向と交差する共通の仮想的な基準直線上に基準辺を有し、
複数の前記切断孔組のそれぞれに対応する前記基準直線の、前記第２方向に対する角度が互いに相違し、
前記補正手段は、前記複数の切断孔組の何れかに対応する前記補正情報に基づいて、前記切断データを補正することを特徴とする切断装置。
【請求項２】
前記複数の切断孔組は、
基準切断孔組、前記基準切断孔組に対して前記第１方向の一方側に配置された一方側切断孔組、及び、前記基準切断孔組に対して前記第１方向の他方側に配置された他方側切断孔組を有し、
前記基準切断孔組は、
前記第２方向と平行な２つの前記基準直線上に前記基準辺を有する前記２つの切断孔を有し、
前記一方側切断孔組は、
前記第２方向に対して一方側に傾斜した２つの平行な前記基準直線上に前記基準辺を有する前記２つの切断孔を含み、
前記他方側切断孔組は、
前記第２方向に対して他方側に傾斜した２つの平行な前記基準直線上に前記基準辺を有する前記２つの切断孔を含むことを特徴とする請求項１に記載の切断装置。
【請求項３】
前記複数の切断孔組には、前記一方側切断孔組、及び、前記他方側切断孔組が、それぞれ複数含まれており、
複数の前記一方側切断孔組のそれぞれは、前記第２方向に対して異なる角度で前記一方側に傾斜した２つの平行な前記基準直線上に前記基準辺を有する前記２つの切断孔を含み、
複数の前記他方側切断孔組のそれぞれは、前記第２方向に対して異なる角度で前記他方側に傾斜した２つの平行な前記基準直線上に前記基準辺を有する前記２つの切断孔を含むことを特徴とする請求項２に記載の切断装置。
【請求項４】
前記補正情報に対応する前記切断孔を含む前記切断孔組の前記基準直線の、前記基準切断孔組の前記基準直線に対する傾斜角度及び傾斜方向に基づき、前記第１軸を前記傾斜方向と反対方向に前記傾斜角度分回転させて前記補正第１軸を算出する算出手段を備え、
前記補正手段は、
前記算出手段によって算出された前記補正第１軸と前記第２軸とによって示される座標系に基づいて、前記切断データを補正することを特徴とする請求項２又は３に記載の切断装置。
【請求項５】
前記複数の切断孔組のそれぞれに対応する識別子を、前記被切断媒体に形成する第２形成手段と、
複数の前記識別子のうち何れかを受け付ける受付手段と
を備え、
前記第１特定手段は、
前記受付手段によって受け付けられた前記識別子を、前記補正情報として特定し、
前記補正手段は、
前記第１特定手段によって特定された前記識別子に対応する前記切断孔組の前記基準直線に基づいて、前記切断データを補正することを特徴とする請求項１から４の何れかに記載の切断装置。
【請求項６】
前記被切断媒体のうち、前記２つの切断孔の一方が形成される領域であって着色されている第１領域と、前記２つの切断孔の他方が形成される領域であって着色されていない第２領域とを判定する判定手段を備え、
前記第２形成手段は、
前記判定手段によって判定された前記第２領域に形成される前記切断孔の近傍に、反転された前記識別子を、前記切断具によって切断することで形成することを特徴とする請求項５に記載の切断装置。
【請求項７】
前記テンプレートの前記第１方向のサイズを特定する第２特定手段と、
前記第２特定手段によって特定された前記テンプレートの前記第１方向のサイズに応じて、前記複数の切断孔組の数を決定する第１決定手段と
を備え、
前記切断手段は、
前記第１決定手段によって決定された前記数の前記複数の切断孔組を有する前記テンプレートを、前記被切断媒体に形成させることを特徴とする請求項１から６の何れかに記載の切断装置。
【請求項８】
前記テンプレートの前記第２方向のサイズを特定する第３特定手段と、
前記第３特定手段によって特定された前記テンプレートの前記第２方向のサイズに応じて、前記２つの切断孔の間の長さを決定する第２決定手段と
を備え、
前記切断手段は、
前記第２決定手段によって決定された長さ分前記第２方向に離隔した前記２つの切断孔を有する前記複数の切断孔組を有する前記テンプレートを、前記被切断媒体に形成させることを特徴とする請求項１から７の何れかに記載の切断装置。
【請求項９】
互いに直交する第１軸及び第２軸によって示される座標系に基づいて切断位置を特定する切断データに応じて被切断媒体を切断する切断装置であって、切断具が保持される保持部、及び、前記保持部に対して前記被切断媒体を、前記第１軸に対応する第１方向、及び、前記第２軸に対応する第２方向に相対移動させる移動機構を備えた切断装置のコンピュータに、
テンプレート切断データに基づき、前記移動機構を駆動して前記被切断媒体を前記切断具で切断することによって、複数の切断孔を有するテンプレートを前記被切断媒体に形成する切断ステップと、
前記移動機構を駆動し、前記第１方向と平行な直線状の折り目直線を前記被切断媒体に形成する第１形成ステップと、
前記切断ステップによって前記被切断媒体に形成された前記切断孔に応じた補正情報を特定する第１特定ステップと、
前記第１特定ステップによって特定された前記補正情報に基づいて前記第１軸の角度が補正された補正第１軸と前記第２軸とによって示される座標系に基づいて、前記切断データを補正する補正ステップと
を実行させるための切断プログラムであって、
前記テンプレートは、前記折り目直線を挟んで前記第２方向に対向する２つの前記切断孔を含む切断孔組を複数有し、
それぞれの前記切断孔組に含まれる前記２つの切断孔は、それぞれ、前記第１方向と交差する共通の仮想的な基準直線上に基準辺を有し、
複数の前記切断孔組のそれぞれに対応する前記基準直線の、前記第２方向に対する角度が互いに相違し、
前記切断ステップは、前記複数の切断孔組の何れかに対応する前記補正情報に基づいて、前記切断データを補正することを特徴とする切断プログラム。
【発明の詳細な説明】
【技術分野】
【０００１】
本発明は、シート状の被切断媒体を切断する切断装置及び切断プログラムに関する。
【背景技術】
【０００２】
シート状の被切断媒体を切断データに従って切断可能な切断装置が知られている。特許文献１はカッティングプロッタを開示する。カッティングプロッタは、駆動ローラ、ピンチローラ、及び、ペンブロックを備える。駆動ローラ及びピンチローラは、被切断媒体を副走査方向に移動させる。ペンブロックはカッティングペンを保持し、主走査方向に移動させる。これによってカッティングプロッタは、被切断媒体に対してカッティングペンを２次元方向に相対移動させ、被切断媒体を所望の形状に切断する。
【先行技術文献】
【特許文献】
【０００３】
【特許文献１】特開２００５−２０５５４１号公報
【発明の概要】
【発明が解決しようとする課題】
【０００４】
切断装置に切断処理を実行させるための切断データでは、主走査方向と副走査方向とのなす角度が所定角度（通常９０度）であることを前提として作成される。しかし、被切断媒体を相対移動させるための駆動機構の誤差等が原因で、主走査方向と副走査方向との間のなす角度が所定角度に対してずれる場合がある。この場合、切断データに基づいて切断処理が実行された場合でも、所望する形状に被切断媒体を切断できないという問題点がある。
【０００５】
本発明の目的は、主走査方向と副走査方向とのなす角度が所定角度に対してずれた場合でも、所望する形状に被切断媒体を切断できる切断装置、及び切断プログラムを提供することである。
【課題を解決するための手段】
【０００６】
本発明の第１態様に係る切断装置は、互いに直交する第１軸及び第２軸によって示される座標系に基づいて切断位置を特定する切断データに応じて被切断媒体を切断する切断装置であって、切断具が保持される保持部と、前記保持部に対して前記被切断媒体を、前記第１軸に対応する第１方向、及び、前記第２軸に対応する第２方向に相対移動させる移動機構と、テンプレート切断データに基づき、前記移動機構を駆動して前記被切断媒体を前記切断具で切断することによって、複数の切断孔を有するテンプレートを前記被切断媒体に形成する切断手段と、前記移動機構を駆動し、前記第１方向と平行な直線状の折り目直線を前記被切断媒体に形成する第１形成手段と、前記切断手段によって前記被切断媒体に形成された前記切断孔に応じた補正情報を特定する第１特定手段と、前記第１特定手段によって特定された前記補正情報に基づいて前記第１軸の角度が補正された補正第１軸と前記第２軸とによって示される座標系に基づいて、前記切断データを補正する補正手段とを備え、前記テンプレートは、前記折り目直線を挟んで前記第２方向に対向する２つの前記切断孔を含む切断孔組を複数有し、それぞれの前記切断孔組に含まれる前記２つの切断孔は、それぞれ、前記第１方向と交差する共通の仮想的な基準直線上に基準辺を有し、複数の前記切断孔組のそれぞれに対応する前記基準直線の、前記第２方向に対する角度が互いに相違し、前記補正手段は、前記複数の切断孔組の何れかに対応する前記補正情報に基づいて、前記切断データを補正することを特徴とする。
【０００７】
第１態様に係る切断装置によって形成されたテンプレートが、折り目直線に沿って折り曲げられた場合を例示する。この場合、複数の切断孔組のそれぞれの２つの切断孔の少なくとも一部分同士が重なる場合がある。又、第１方向と直交する直交方向に対して第２方向のなす角度と、直交方向に対して基準直線のなす角度とが一致し、且つ、それぞれの傾斜方向が反対方向を向く場合、この基準直線に対応する２つの切断孔のそれぞれの基準辺は、被切断媒体が折り曲げられた場合に良好に重なる。
【０００８】
このため切断装置は、それぞれの基準辺が良好に重なる切断孔組に対応する補正情報を特定することによって、直交方向に対して第２方向のなす角度を特定できる。切断装置は、直交方向に対して第２方向のなす角度に基づいて、第１軸の角度を補正する。切断装置は、第１軸が補正された補正第１軸と第２軸とによって示される座標系に基づいて、切断データを補正する。この場合、切断装置は、補正後の切断データに応じて切断処理を実行することによって、第１方向と第２方向とが直交しない場合でも、補正前の切断データに応じた切断位置が適切に再現された切れ目を、被切断媒体に形成させることができる。
【０００９】
本発明の第２態様に係る切断プログラムは、互いに直交する第１軸及び第２軸によって示される座標系に基づいて切断位置を特定する切断データに応じて被切断媒体を切断する切断装置であって、切断具が保持される保持部、及び、前記保持部に対して前記被切断媒体を、前記第１軸に対応する第１方向、及び、前記第２軸に対応する第２方向に相対移動させる移動機構を備えた切断装置のコンピュータに、テンプレート切断データに基づき、前記移動機構を駆動して前記被切断媒体を前記切断具で切断することによって、複数の切断孔を有するテンプレートを前記被切断媒体に形成する切断ステップと、前記移動機構を駆動し、前記第１方向と平行な直線状の折り目直線を前記被切断媒体に形成する第１形成ステップと、前記切断ステップによって前記被切断媒体に形成された前記切断孔に応じた補正情報を特定する第１特定ステップと、前記第１特定ステップによって特定された前記補正情報に基づいて前記第１軸の角度が補正された補正第１軸と前記第２軸とによって示される座標系に基づいて、前記切断データを補正する補正ステップとを実行させるための切断プログラムであって、前記テンプレートは、前記折り目直線を挟んで前記第２方向に対向する２つの前記切断孔を含む切断孔組を複数有し、それぞれの前記切断孔組に含まれる前記２つの切断孔は、それぞれ、前記第１方向と交差する共通の仮想的な基準直線上に基準辺を有し、複数の前記切断孔組のそれぞれに対応する前記基準直線の、前記第２方向に対する角度が互いに相違し、前記切断ステップは、前記複数の切断孔組の何れかに対応する前記補正情報に基づいて、前記切断データを補正することを特徴とする。第２態様によれば、第１態様と同様の効果を奏することができる。
【図面の簡単な説明】
【００１０】
【図１】切断装置１の斜視図である。
【図２】切断装置１の電気的構成を示すブロック図である。
【図３】被切断媒体２０に形成される切断孔４０を示す図である。
【図４】テンプレート５を示す図である。
【図５】Ｘ方向及びＹ方向が直交する場合のテンプレート５を示す図である。
【図６】Ｘ方向及びＹ方向が直交しない場合のテンプレート５を示す図である。
【図７】被切断媒体２０に形成される切断孔４０を示す図である。
【図８】メイン処理を示すフローチャートである。
【図９】テンプレート作成処理を示すフローチャートである。
【発明を実施するための形態】
【００１１】
本発明を具体化した実施形態について、図面を参照して説明する。参照する図面は、本発明が採用しうる技術的特徴を説明するために用いられるものであり、記載されている装置の構成などは、それのみに限定する趣旨ではなく、単なる説明例である。
【００１２】
＜切断装置１の概要＞
図１を参照して、本実施形態に係る切断装置１の物理的構成を説明する。以下の説明では、図１の左下側、右上側、右下側、左上側、上側、下側を、それぞれ、切断装置１の左側、右側、前側、後側、上側、下側とする。切断装置１は、シート状の被切断媒体２０に切断を含む加工を施すことが可能である。被切断媒体２０は、例えば、加工布、紙である。切断装置１は、ヘッド２、本体カバー９、プラテン３、スキャナ部６（図２参照）、移送機構７、及びヘッド移動機構８を備える。
【００１３】
本体カバー９は、左右方向に長い略矩形箱状の筐体である。本体カバー９には、開口部９Ａ、カバー９Ｂ、及び操作部３５が設けられている。開口部９Ａは、本体カバー９の正面部に設けられた開口である。カバー９Ｂは、左右方向に長い板状の部材であり、下端側で、開口部９Ａを開閉可能に支持されている。図１では、カバー９Ｂが開けられ、開口部９Ａが開放されている。
【００１４】
操作部３５は、本体カバー９の上面の右側部位に設けられる。操作部３５は、液晶ディスプレイ（ＬＣＤ）３５Ａ、操作スイッチ３５Ｂ、及び、タッチパネル３５Ｃを備える。ＬＣＤ３５Ａには、コマンド、イラスト、設定値、及びメッセージ等の様々な項目を含む画像が表示される。タッチパネル３５Ｃは、ＬＣＤ３５Ａの表面に設けられる。ユーザは、指及びスタイラスペンの何れかを用いてタッチパネル３５Ｃの押圧操作を行う。切断装置１では、タッチパネル３５Ｃにより検知される押圧位置に対応して、どの項目が選択されたかが認識される。ユーザは、操作スイッチ３５Ｂ及びタッチパネル３５Ｃを用いて、ＬＣＤ３５Ａに表示された模様の選択、各種パラメータの設定、及び入力の操作等を行うことができる。
【００１５】
プラテン３は、本体カバー９内に設けられる。プラテン３は左右方向に延びる板状部材である。プラテン３は保持シート１０の下面を受ける。保持シート１０は、開口部９Ａが開放された状態で、プラテン３上にセットされる。保持シート１０は矩形シート状である。保持シート１０は、例えば合成樹脂材料からなる。保持シート１０の上面には、周縁部（左縁部１０１、右縁部１０２、後縁部１０３、前縁部１０４）を除いた内側の略矩形領域に粘着剤が塗布された粘着層１００が設けられる。被切断媒体２０は、粘着層１００に貼り付けられて保持される。
【００１６】
ヘッド２は、キャリッジ１９、カートリッジホルダ３２、及び、上下駆動機構３３を備える。カートリッジホルダ３２は、カートリッジ４を着脱可能に保持する。カートリッジ４は複数種類の加工部材を装着可能である。本例の加工部材は、切断具（カッタ１６（図３参照））である。ユーザは、被切断媒体２０の種類、厚さ、及び加工の種類に適した加工部材を選択し、カートリッジ４に装着できる。上下駆動機構３３は、カートリッジホルダ３２及びカートリッジ４を上下方向（「Ｚ方向」ともいう。）に駆動させる。上下駆動機構３３は、伝達機構（図示略）及びＺ軸モータ３４（図２参照）を備える。伝達機構は、Ｚ軸モータ３４の回転運動を減速し且つ上下運動に変換して、カートリッジホルダ３２に伝達する。カートリッジホルダ３２に装着されたカートリッジ４は、Ｚ軸モータ３４の駆動に応じて、下降位置と、上昇位置との間で移動する。下降位置は、被切断媒体２０に加工を行うときのカートリッジ４の位置である。上昇位置は、加工部材が被切断媒体２０から所定距離、離間する位置である。
【００１７】
スキャナ部６は、後述する制御回路７１の指示に従って、保持シート１０に保持された被切断媒体２０を読み取って画像データを生成できる。スキャナ部６は、例えば密着型イメージセンサ（ＣＩＳ）である。図示しないが、スキャナ部６は、ラインセンサ、光源（ランプ）、及びレンズを備える。ラインセンサは、スキャナ部６の下側に設けられ、切断装置１の左右方向に並設された複数の撮像素子を備える。スキャナ部６は、後述のガイドレール２２の後方に位置する。スキャナ部６は、左右方向に延び、下向きに設けられる。スキャナ部６は、保持シート１０に保持された被切断媒体２０の上側の面（以下、「表面」という。）とラインセンサとが近接した状態で、被切断媒体２０の表面を読み取る。
【００１８】
移送機構７は、プラテン３上にセットされた保持シート１０を、切断装置１の前後方向（「Ｙ方向」「副走査方向」ともいう。）に移送可能に構成されている。移送機構７は、駆動ローラ１２、ピンチローラ１３、取付フレーム１４、Ｙ軸モータ１５、減速機構１７を備える。駆動ローラ１２及びピンチローラ１３は、本体カバー９内の機枠１１の一対の側壁部１１１、１１２の間に回転可能に支持される。駆動ローラ１２及びピンチローラ１３は、Ｘ方向に延び、上下方向に並んで配設される。ピンチローラ１３の左部にはローラ部（図示略）が設けられ、右部にはローラ部１３１が設けられる。取付フレーム１４は、側壁部１１２の外面側（右側）に固定される。取付フレーム１４には、Ｙ軸モータ１５が取付けられる。Ｙ軸モータ１５は、例えばステッピングモータである。Ｙ軸モータ１５の出力軸は、減速機構１７の駆動ギヤ（図示略）に固定されている。駆動ギヤは従動ギヤ（図示略）に噛合する。従動ギヤは、駆動ローラ１２の右端部の先端に固着されている。
【００１９】
保持シート１０が移送される時、保持シート１０の左縁部１０１は、駆動ローラ１２と、ピンチローラ１３の左側のローラ部（図示略）との間に挟持される。保持シート１０の右縁部１０２は、駆動ローラ１２とローラ部１３１との間に挟持される。Ｙ軸モータ１５が正転駆動又は逆転駆動されると、Ｙ軸モータ１５の回転運動が、減速機構１７を介して駆動ローラ１２に伝わる。これにより、保持シート１０がＹ方向（後方又は前方）へ移送される。
【００２０】
ヘッド移動機構８は、ヘッド２を、保持シート１０の移送方向（Ｙ方向）と交差する左右方向（「Ｘ方向」「主走査方向」ともいう。）に移動可能に構成されている。ヘッド移動機構８は、上下一対のガイドレール２１、２２、取付フレーム２４、Ｘ軸モータ２５、減速機構としての駆動ギヤ２７及び従動ギヤ２９、並びに伝達機構３０等を備える。ガイドレール２１及び２２は、側壁部１１１、１１２の間に固定されている。ガイドレール２１及び２２は、ピンチローラ１３よりもやや後部寄りの上方に位置する。ガイドレール２１及び２２は、ピンチローラ１３と略平行つまりＸ方向に延びる。ヘッド２のキャリッジ１９は、ガイドレール２１及び２２に、ガイドレール２１及び２２に沿ってＸ方向へ移動可能に支持される。
【００２１】
取付フレーム２４は、側壁部１１１の外面側（左側）の後部寄りに固定されている。Ｘ軸モータ２５は、取付フレーム２４の後方に、下向きに取り付けられている。駆動ギヤ２７は、Ｘ軸モータ２５の出力軸に固定されている。Ｘ軸モータ２５は、例えばステッピングモータである。従動ギヤ２９は駆動ギヤ２７に噛合する。伝達機構３０は、図示しない、左右一対のタイミングプーリと、左右一対のタイミングプーリに掛装された無端状のタイミングベルトを有する。一方のタイミングプーリ２８は、従動ギヤ２９と一体に回動可能に、取付フレーム２４に設けられる。他方のタイミングプーリは、取付フレーム１４に設けられる。タイミングベルトはＸ方向に延び、キャリッジ１９に連結されている。ヘッド移動機構８は、Ｘ軸モータ２５の回転運動をＸ方向の運動に変換して、キャリッジ１９に伝達する。Ｘ軸モータ２５が正転駆動又は逆転駆動すると、Ｘ軸モータ２５の回転運動が、駆動ギヤ２７、従動ギヤ２９、及びタイミングプーリ２８を介してタイミングベルトに伝わる。これにより、キャリッジ１９は、左方又は右方へ移動される。こうして、ヘッド２はＸ方向に移動する。
【００２２】
＜切断装置１の電気的構成＞
図２を参照して、切断装置１の電気的構成を説明する。切断装置１は、制御回路７１と、制御回路７１に接続されたフラッシュメモリ７２、ＲＡＭ７３、及び、ＥＥＰＲＯＭ（登録商標）７４を備える。制御回路７１は、切断装置１の主制御を司り、コンピュータ（ＣＰＵ）を主体に構成されている。
【００２３】
フラッシュメモリ７２は、切断装置１を動作させるための各種プログラム、被切断媒体２０を切断するための切断データ等を記憶する。プログラムには、例えば、後述するメイン処理（図８、図９参照）を切断装置１に実行させるためのプログラムがある。プログラムは、ＵＳＢメモリ３６Ａ等の外部メモリから読み出され、フラッシュメモリ７２に記憶されてもよい。切断データは、被切断媒体２０の切断位置を特定する。切断データは、ＵＳＢメモリ３６Ａ等の外部メモリに記憶されてもよい。ＲＡＭ７３は、各種プログラム、各種データ、操作スイッチ３５Ｂの操作等で入力された設定値、制御回路７１が演算処理した演算結果等を一時的に記憶する。ＥＥＰＲＯＭ７４は、各種パラメータ等を記憶する不揮発性記憶素子である。
【００２４】
制御回路７１には、更に、スキャナ部６、ＬＣＤ３５Ａ、操作スイッチ３５Ｂ、タッチパネル３５Ｃ、検出センサ７６、及びＵＳＢコネクタ３６が接続されている。制御回路７１は、スキャナ部６を制御して読み取り動作を実行させることで、画像データを取得する。検出センサ７６は、プラテン３上にセットされた保持シート１０の先端を検出する。検出センサ７６の検出信号は、制御回路７１に入力される。制御回路７１は、ＬＣＤ３５Ａを制御して、画像を表示させる。ＵＳＢコネクタ３６には、ＵＳＢメモリ３６Ａが接続可能である。ＵＳＢメモリ３６ＡがＵＳＢコネクタ３６に接続された状態で、制御回路７１は、ＵＳＢメモリ３６Ａに設けられた各記憶エリアにアクセスできる。
【００２５】
制御回路７１には、更に、駆動回路７７〜７９が接続されている。駆動回路７７〜７９はそれぞれ、Ｙ軸モータ１５、Ｘ軸モータ２５、及びＺ軸モータ３４を駆動する。制御回路７１は、切断データに基づき、Ｙ軸モータ１５、Ｘ軸モータ２５、及びＺ軸モータ３４等を制御し、保持シート１０上の被切断媒体２０に対する切断処理を自動で実行させる。
【００２６】
切断装置１を用いて切断処理が実行される場合、カッタ１６を有するカートリッジ４がカートリッジホルダ３２に装着される。制御回路７１は、上下駆動機構３３を駆動させ、カートリッジ４を下降位置に移動させると、カートリッジ４に装着されたカッタ１６が保持シート１０上の被切断媒体２０に刺さる。カッタ１６は、被切断媒体２０を貫通して保持シート１０に僅かに刺さる。この状態で、制御回路７１は、切断データに従って移送機構７及びヘッド移動機構８を駆動する。保持シート１０及びカートリッジ４は、Ｘ方向及びＹ方向に相対移動する。つまり、切断装置１を用いて切断処理が実行される場合、移送機構７及びヘッド移動機構８は、カートリッジ４に対して被切断媒体２０をＸ方向及びＹ方向に相対移動させる移動機構として機能する。
【００２７】
切断装置１を用いてスキャン処理が実行される場合、制御回路７１は、カートリッジ４を上昇位置に保持した状態で、移送機構７及びスキャナ部６を駆動させる。保持シート１０とスキャナ部６とがＹ方向に相対移動しながら、保持シート１０によって保持された被切断媒体２０の表面が読み取られ、画像データが生成される。
【００２８】
＜切断データと切断パターンとの関係＞
切断データによって特定される切断位置は、ＸＹ座標系の座標（ｘ，ｙ）によって示される。ＸＹ座標系の２軸（Ｘ軸及びＹ軸）は互いに直交する。Ｘ軸の延びる方向は、切断装置１におけるヘッド２の移動方向（Ｘ方向）に対応する。Ｙ軸の延びる方向は、切断装置１における保持シート１０の移送方向（Ｙ方向）に対応する。制御回路７１は、切断データのｘ座標の値に基づいてヘッド移動機構８を駆動し、ヘッド２をＸ方向に移動させる。制御回路７１は、切断データのｙ座標の値に基づいて移送機構７を駆動し、保持シート１０をＹ方向に移動させる。これによって、切断装置１は、被切断媒体２０のうち切断データによって特定される切断位置をカッタ１６によって切断する。切断処理が実行された場合、被切断媒体２０に孔や切れ込みが形成される。以下、切断処理が実行された場合に被切断媒体２０に形成される孔や切れ込みを、「切断パターン」という。
【００２９】
切断データは、切断装置１においてＸ方向とＹ方向とが直交することを前提として作成される。切断データに基づいて実行される切断処理によって形成される切断パターンは、Ｘ方向及びＹ方向が直交する場合、切断データの切断位置を適切に再現する。これに対し、切断装置１においてＸ方向及びＹ方向が直交しない場合に形成される切断パターンは、Ｘ方向及びＹ方向が直交する場合に形成される切断パターンに対して歪んだ形状となる場合がある。なお、Ｘ方向及びＹ方向が直交しない場合の具体例の１つとして、移送機構７及びヘッド移動機構８の組立誤差が挙げられる。
【００３０】
図３を参照して具体的に説明する。切断データに基づいて、四角形状の切断孔４０が切断パターンとして被切断媒体２０に形成される場合を例示する。この場合、切断データでは、切断孔４０の四角形の４角の座標Ｐ１１（ｘ１，ｙ１）、Ｐ２１（ｘ２，ｙ１）、Ｐ２２（ｘ２，ｙ２）、Ｐ１２（ｘ１，ｙ２））を結ぶ４つの線分が、切断位置として特定されている。座標Ｐ１１、Ｐ１２及び座標Ｐ２１、Ｐ２２は、Ｘ座標がそれぞれ一致し、座標Ｐ１１、Ｐ２１及び座標Ｐ１２、Ｐ２２は、Ｙ座標がそれぞれ一致する。このため、座標Ｐ１１、Ｐ１２間及び座標Ｐ２１、Ｐ２２間のそれぞれを結ぶ線分に対応する切断位置と、座標Ｐ１１、Ｐ２１間及び座標Ｐ１２、Ｐ２２間のそれぞれを結ぶ線分に対応する切断位置とは、ＸＹ座標系において互いに直交する。つまり、切断孔４０の形状は、ＸＹ座標系において長方形となる。
【００３１】
制御回路７１は、被切断媒体２０に対してカッタ１６を矢印Ａ１に沿って相対移動させるために、移送機構７及びヘッド移動機構８を次のように駆動する。はじめに制御回路７１は、座標Ｐ１１（ｘ１，ｙ１）の位置から座標Ｐ２１（ｘ２，ｙ１）の位置までカッタ１６をＸ方向に相対移動させるために、ヘッド移動機構８を駆動してヘッド２を移動させる。これによって、Ｘ方向に沿って延びる切れ目（辺Ｃ１）が被切断媒体２０に形成される。次いで制御回路７１は、座標Ｐ２１（ｘ２，ｙ１）の位置から座標Ｐ２２（ｘ２，ｙ２）の位置までカッタ１６をＹ方向に相対移動させるために、移送機構７を駆動して保持シート１０を移動させる。これによって、Ｙ方向に延びる切れ目（辺Ｃ２）が被切断媒体２０に形成される。次いで制御回路７１は、座標Ｐ２２（ｘ２，ｙ２）の位置から座標Ｐ１２（ｘ１，ｙ２）の位置までカッタ１６をＸ方向に相対移動させるために、ヘッド移動機構８を駆動してヘッド２を移動させる。これによって、Ｘ方向に延びる切れ目（辺Ｃ３）が被切断媒体２０に形成される。次いで切断装置１は、座標Ｐ１２（ｘ１，ｙ２）の位置から座標Ｐ１１（ｘ１，ｙ１）の位置までカッタ１６をＹ方向に相対移動させるために、移送機構７を駆動して保持シート１０を移動させる。これによって、Ｙ方向に延びる切れ目（辺Ｃ４）が被切断媒体２０に形成される。辺Ｃ１〜Ｃ４は、それぞれ、切断孔４０を構成する４つの辺に対応する。辺Ｃ１、Ｃ３の延びる方向はＸ方向と一致し、辺Ｃ２、Ｃ４の延びる方向はＹ方向と一致する。
【００３２】
ここで、切断装置１においてＸ方向とＹ方向とが直交する場合、図３（Ａ）に示すように、辺Ｃ１、Ｃ３と辺Ｃ２、Ｃ４とはそれぞれ互いに直交する。従って、ＸＹ座標系に基づく切断データの切断位置は、被切断媒体２０に適切に再現され、切断孔４０Ａの形状は長方形のまま維持される。これに対し、切断装置１において、Ｘ方向とＹ方向とが直交しない場合、より具体的には、Ｘ方向と直交する方向（以下、「直交方向」という。）に対してＹ方向がθ１度傾斜する場合を例示する。この場合、図３（Ｂ）に示すように、辺Ｃ１、Ｃ３と辺Ｃ２、Ｃ４とはそれぞれ直交しない。切断孔４０Ｂは、辺Ｃ１、Ｃ３と直交する方向に対して辺Ｃ２、Ｃ４がθ１度分傾斜した平行四辺形になる。このように、共通の切断データに基づいて切断孔４０が形成された場合でも、切断装置１においてＸ方向及びＹ方向が直交しない場合の切断孔４０Ｂの形状は、Ｘ方向及びＹ方向が直交する場合の切断孔４０Ａに対して歪む場合がある。
【００３３】
本実施形態において、切断装置１の制御回路７１は、Ｘ方向とＹ方向とが直交しない場合でも、ＸＹ座標系に基づく切断データの切断位置を被切断媒体２０に適切に再現できるように、切断データを補正する。切断データの補正は、後述するテンプレート５（図４等参照）に基づいて実行される。
【００３４】
＜テンプレート５＞
図４〜図６を参照し、テンプレート５について説明する。テンプレート５は、テンプレート切断データに基づいて切断処理が実行されることによって、被切断媒体２０から切り取られる。テンプレート切断データは、後述するテンプレート作成処理（図９参照）によって作成される。図４、図５は、Ｘ方向とＹ方向とが直交する切断装置１によって被切断媒体２０から切り取られたテンプレート５を示す。図６は、Ｘ方向とＹ方向とが直交しない切断装置１によって被切断媒体２０から切り取られたテンプレート５を示す。
【００３５】
なお、以下の説明では、被切断媒体２０が保持された保持シート１０がプラテン３にセットされた状態を前提とし、切断装置１における各方向（左側、右側、前側、後側、上側、下側）を、被切断媒体２０から切り取られるテンプレート５にも適用する。なお、図５、図６のうち折り曲げられる前の状態のテンプレート５（図５（Ａ）、図６（Ａ））では、理解を容易とする為、後述する仮想的な基準直線５Ａ、５Ｂが点線で示されている。又、基準直線５Ａ、５Ｂの第１傾斜角度が、実際の第１傾斜角度よりも大きく示されている。更に、後述する第１領域２０Ａ、及び、複数の識別子６２が省略されている。
【００３６】
図４に示すように、テンプレート５は、矩形状の枠線２０Ｃに沿った切れ目が被切断媒体２０に形成されることによって、被切断媒体２０から切り取られる。テンプレート５は、複数の切断孔５０、折り目直線６１、及び、複数の識別子６２を含む。複数の切断孔５０は、それぞれ、被切断媒体２０を貫通する孔である。各切断孔５０は、Ｙ方向に長い略長方形である。各切断孔５０は、Ｘ方向に延びる２つの切れ目に対応する２辺と、Ｘ方向と交差する方向に延びる２つの切れ目に対応する２辺とを有する。
【００３７】
切断孔５０は、テンプレート５の前端部及び後端部のそれぞれの近傍に、１５個ずつ形成される。具体的には次の通りである。テンプレート５の前端部の近傍には、Ｘ方向に沿って左側から右側に向けて、切断孔５３７、５３６、５３５、５３４、５３３、５３２、５３１、５１０、５２１、５２２、５２３、５２４、５２５、５２６、５２７が順番に配列する。切断孔５１０は、Ｘ方向の中央に配置される。切断孔５２１〜５２７は、切断孔５１０に対して右側に配置される。切断孔５３１〜５３７は、切断孔５１０に対して左側に配置される。テンプレート５の後端部の近傍には、Ｘ方向に沿って左側から右側に向けて、切断孔５６７、５６６、５６５、５６４、５６３、５６２、５６１、５４０、５５１、５５２、５５３、５５４、５５５、５５６、５５７が順番に配列する。切断孔５４０は、Ｘ方向の中央に配置される。切断孔５５１〜５５７は、切断孔５４０に対して右側に配置される。切断孔５６１〜５６７は、切断孔５４０に対して左側に配置される。
【００３８】
テンプレート５の表面のうち、切断孔５４０、５５１〜５５７、５６１〜５６７が形成される部分を含む所定の第１領域２０Ａは、黒色で着色されている。被切断媒体２０の表面のうち、切断孔５１０、５２１〜５２７、５３１〜５３７が形成される部分を含む所定の第２領域２０Ｂは、着色されていない。以下、第１領域２０Ａに形成される切断孔５４０、５５１〜５５７、５６１〜５６７を総称して、「第１切断孔５０１」という。第２領域２０Ｂに形成される切断孔５１０、５２１〜５２７、５３１〜５３７を総称して、「第２切断孔５０２」という。
【００３９】
図５（Ａ）、図６（Ａ）に示すように、各切断孔５０は、Ｙ方向に対向する他の切断孔５０と切断孔組５８（図４参照）を構成する。具体的には、切断孔５１０と切断孔５４０、切断孔５２１と切断孔５５１、切断孔５２２と切断孔５５２、切断孔５２３と切断孔５５３、切断孔５２４と切断孔５５４、切断孔５２５と切断孔５５５、切断孔５２６と切断孔５５６、切断孔５２７と切断孔５５７、切断孔５３１と切断孔５６１、切断孔５３２と切断孔５６２、切断孔５３３と切断孔５６３、切断孔５３４と切断孔５６４、切断孔５３５と切断孔５６５、切断孔５３６と切断孔５６６、及び、切断孔５３７と切断孔５６７は、それぞれ、切断孔組５０Ａ、５１Ａ、５２Ａ、５３Ａ、５４Ａ、５５Ａ、５６Ａ、５７Ａ、５１Ｂ、５２Ｂ、５３Ｂ、５４Ｂ、５５Ｂ、５６Ｂ、５７Ｂ（図４参照）を構成する。切断孔組５０Ａは、テンプレート５におけるＸ方向の中央に配置される。以下、切断孔組５０Ａを「基準切断孔組５０Ａ」という。図４に示すように、基準切断孔組５０Ａに対して右側に配置される切断孔組５１Ａ〜５７Ａを、「一方側切断孔組５８Ａ」といい、基準切断孔組５０Ａに対して左側に配置される切断孔組５１Ｂ〜５７Ｂを、「他方側切断孔組５８Ｂ」という。基準切断孔組５０Ａから右側に向けてｍ（ｍは整数）番目に配列された一方側切断孔組５８Ａを、「ｍ番目の一方側切断孔組５８Ａ」という。基準切断孔組５０Ａから左側に向けてｍ番目に配列された他方側切断孔組５８Ｂを、「ｍ番目の他方側切断孔組５８Ｂ」という。
【００４０】
図５（Ａ）、図６（Ａ）に示すように、各切断孔組５８に含まれる２つの切断孔５０のそれぞれのうち、Ｘ方向と交差する方向に延びる２辺は、それぞれ、２つの仮想直線（以下、「基準直線５Ａ、５Ｂ」（図５参照）という。）上に配置される。基準直線５Ａ、５Ｂは、互いに平行であり、Ｘ方向と交差する。以下、切断孔５０のうちＸ方向と交差する方向に延びる２辺を、「基準辺」という。図５に示すように、第２切断孔５０２の左側の基準辺を「基準辺Ｃ５」といい、右側の基準辺を「基準辺Ｃ６」という。第１切断孔５０１の左側の基準辺を「基準辺Ｃ７」といい、右側の基準辺を「基準辺Ｃ８」という。
【００４１】
例えば切断孔組５７Ｂにおいて、切断孔５３７の左側の基準辺Ｃ５、及び、切断孔５６７の左側の基準辺Ｃ７は、それぞれ、切断孔組５７Ｂの基準直線５Ａ上に配置される。切断孔５３７の右側の基準辺Ｃ６、及び、切断孔５６７の右側の基準辺Ｃ８は、それぞれ、切断孔組５７Ｂの基準直線５Ｂ上に配置される。
【００４２】
Ｙ方向に対する基準直線５Ａ、５Ｂの傾斜角度（以下、「第１傾斜角度」という。）及び傾斜方向（以下、「第１傾斜方向」という。）は、切断孔組５８毎に相違する。第１傾斜角度は、０度（基準切断孔組５０Ａ）、０．０６度（切断孔組５１Ａ、５１Ｂ）、０．１２度（切断孔組５２Ａ、５２Ｂ）、０．１８度（切断孔組５３Ａ、５３Ｂ）、０．２４度（切断孔組５４Ａ、５４Ｂ）、０．３０度（切断孔組５５Ａ、５５Ｂ）、０．３６度（切断孔組５６Ａ、５６Ｂ）、０．４２度（切断孔組５７Ａ、５７Ｂ）である。第１傾斜方向は、一方側切断孔組５８Ａ（切断孔組５１Ａ〜５７Ａ）と他方側切断孔組５８Ｂ（切断孔組５１Ｂ〜５７Ｂ）とで相違する。以下、切断孔組５８の基準直線５Ａ，５Ｂの第１傾斜角度を、「切断孔組５８の第１傾斜角度」ともいう。切断孔組５８の基準直線５Ａ，５Ｂの第１傾斜方向を、「切断孔組５８の第１傾斜方向」ともいう。
【００４３】
基準切断孔組５０Ａの第１傾斜角度は０度であり、基準直線５Ａ、５ＢはＹ方向と平行となる。このため、基準切断孔組５０Ａに含まれる切断孔５１０、５４０のそれぞれの基準辺Ｃ５〜Ｃ８も、Ｙ方向と平行となる。
【００４４】
一方側切断孔組５８Ａ（切断孔組５１Ａ〜５７Ａ）のそれぞれの基準直線５Ａ、５Ｂは、Ｙ方向に対して上端側が右側を向くように傾斜する。以下、基準直線５Ａ、５Ｂの上端側がＹ方向に対して右側を向くように傾斜する場合の第１傾斜方向を、「正方向」という。一方側切断孔組５８Ａのそれぞれに含まれる２つの切断孔５０のそれぞれの基準辺Ｃ５〜Ｃ８も、正方向に傾斜する。又、一方側切断孔組５８Ａの第１傾斜角度は、それぞれ異なる。一方側切断孔組５８Ａの第１傾斜角度は、基準切断孔組５０Ａから右側に離隔するに従って、０．０６度ずつ大きくなる。より具体的には、ｍ番目の一方側切断孔組５８Ａの第１傾斜角度は、「ｍ×０．０６度」となる。
【００４５】
他方側切断孔組５８Ｂ（切断孔組５１Ｂ〜５７Ｂ）のそれぞれの基準直線５Ａ、５Ｂは、Ｙ方向に対して上端側が左側を向くように傾斜する。以下、基準直線５Ａ、５Ｂの上端側がＹ方向に対して左側を向くように傾斜する場合の第１傾斜方向を、「負方向」という。他方側切断孔組５８Ｂのそれぞれに含まれる２つの切断孔５０のそれぞれの基準辺Ｃ５〜Ｃ８も、負方向に傾斜する。又、他方側切断孔組５８Ｂの第１傾斜角度は、それぞれ異なる。他方側切断孔組５８Ｂの第１傾斜角度は、基準切断孔組５０Ａから左側に離隔するに従って、０．０６度ずつ大きくなる。より具体的には、ｍ番目の他方側切断孔組５８Ｂの第１傾斜角度は、「ｍ×０．０６度」となる。
【００４６】
以下、図４に示すように、テンプレート５のＸ方向の長さを、Ｔｘと表記する。テンプレート５のＹ方向の長さを、Ｔｙと表記する。切断孔５５７の右端部とテンプレート５の右端部との間の長さ、及び、切断孔５６７の左端部とテンプレート５の左端部との間の長さを、それぞれ、Ｆｘと表記する。なお、切断孔５２７の右端部とテンプレート５の右端部との間の長さ、及び、切断孔５３７の左端部とテンプレート５の左端部との間の長さは、何れもＦｘより大きくなる。第１切断孔５０１の上端部とテンプレート５の上端部との間の長さ、及び、第２切断孔５０２の下端部とテンプレート５の下端部との間の長さを、それぞれ、Ｆｙと表記する。切断孔５０のそれぞれのＸ方向の長さを、Ｈｘと表記し、Ｙ方向の長さを、Ｈｙと表記する。第１切断孔５０１のそれぞれの間隔を、Ｈｄと表記する。なお、第２切断孔５０２のそれぞれの間隔は、Ｈｄよりも小さくなる。図５（Ａ）に示すように、最も右側に配置される切断孔組５７Ａ（図４参照）、及び、最も左側に配置される切断孔組５７Ｂ（図４参照）のそれぞれの第１傾斜角度を、「最大角度」といい、θｓと表記する。
【００４７】
なお、上記におけるＴｘ、Ｔｙ、切断孔５０の数、切断孔組５８の数、切断孔組５８の第１傾斜角度は一例である。詳細は後述するが、Ｔｘ、Ｔｙは、被切断媒体２０のＸ方向及びＹ方向の大きさに応じて決定される。切断孔５０の数及び切断孔組５８の数は、Ｔｘに応じて決定される。切断孔組５８の第１傾斜角度は、切断孔組５８の数に応じて決定される。一方、Ｆｘ、Ｆｙ、Ｈｘ、Ｈｙ、Ｈｄ、θｓは、フラッシュメモリ７２に設定値として予め記憶される。θｓは０．４２度である。
【００４８】
図４に示すように、折り目直線６１は、テンプレート５を折り曲げ可能とするために形成されたミシン目状の切れ目６１Ａを複数有する。各切れ目６１Ａは、Ｘ方向と平行に延びる直線に沿って所定間隔を空けて配列される。折り目直線６１は、テンプレート５のＹ方向における中央、言い換えれば、基準切断孔組５０Ａの２つの切断孔５１０、５４０から等距離の位置に配置される。折り目直線６１は、切断孔組５８のそれぞれに含まれる２つの切断孔５０の間、即ち、第１切断孔５０１と第２切断孔５０２との間に配置される。切断孔組５８の２つの切断孔５０は、折り目直線６１を挟んでＹ方向に対向する。
【００４９】
複数の識別子６２は、それぞれ、テンプレート５を表面側から見たときに上下左右方向が反転された状態の符号付きのローマ数字「−７」〜「＋７」を示す。各識別子６２は、直線状の切り込みによって形成される。各識別子６２は、テンプレート５の第２領域２０Ｂのうち、第２切断孔５０２の後側に形成される。識別子６２「０」は、基準切断孔組５０Ａの切断孔５１０に対応付けられる。識別子６２「＋ｍ」は、ｍ番目の一方側切断孔組５８Ａの切断孔５２１〜５２７に対応付けられる。識別子６２「−ｍ」は、ｍ番目の他方側切断孔組５８Ｂの切断孔５３１〜５３７に対応付けられる。つまり、識別子６２の符号は、切断孔組５８の第１傾斜方向（正方向又は負方向）に対応する。
【００５０】
＜テンプレート５の使用方法＞
テンプレート５は、ユーザによって、折り目直線６１の位置で折り曲げられる。テンプレート５の第１領域２０Ａに、第２領域２０Ｂが表面側から重ねられる（図５（Ｂ）、図６（Ｂ）参照）。この場合、図５（Ｂ）、図６（Ｂ）に示すように、テンプレート５の第２領域２０Ｂに形成された識別子６２は、被切断媒体２０の裏面側からユーザによって視認される。なお、識別子６２は、表面側から見たときに上下左右方向が反転された状態で第２領域２０Ｂに形成されている。このため、裏面側から視認された場合の識別子６２は、反転されていない元の状態で視認可能となる。
【００５１】
Ｘ方向及びＹ方向が互いに直交する切断装置１においてテンプレート５が作成された場合について説明する。以下、直交方向に対するＹ方向の傾斜角度を、「第２傾斜角度」という。直交方向に対するＹ方向の傾斜方向を、「第２傾斜方向」という。直交方向に対してＹ方向の後側が右側に傾斜する場合の第２傾斜方向を、「正方向」という。直交方向に対してＹ方向の後側が左側に傾斜する場合の第２傾斜方向を、「負方向」という。
【００５２】
Ｘ方向及びＹ方向が互いに直交する場合、第２傾斜角度は０度となる。この場合、図５（Ａ）に示すように、Ｘ方向と平行な折り目直線６１に対して基準直線５Ａ、５Ｂが直交する基準切断孔組５０Ａに含まれる切断孔５１０、５４０は、折り目直線６１に対して線対称の関係を有する。このため、テンプレート５が折り目直線６１で折り曲げられた場合、図５（Ｂ）に示すように、切断孔５１０の基準辺Ｃ５と切断孔５４０の基準辺Ｃ７、及び、切断孔５１０の基準辺Ｃ６と切断孔５４０の基準辺Ｃ８は、正確に重なる。この場合、着色された第１領域２０Ａは、切断孔５１０を介して露出しない。
【００５３】
一方、折り目直線６１に対して基準直線５Ａ、５Ｂが傾斜する一方側切断孔組５８Ａ及び他方側切断孔組５８Ｂのそれぞれに含まれる第１切断孔５０１と第２切断孔５０２とは、折り目直線６１に対して線対称の関係を有さない。このため、被切断媒体２０が折り目直線６１で折り曲げられた場合、第１切断孔５０１の基準辺Ｃ５と第２切断孔５０２の基準辺Ｃ７、及び、第１切断孔５０１の基準辺Ｃ６と第２切断孔５０２の基準辺Ｃ８は、ずれた状態で重なる。この場合、着色された第１領域２０Ａが、切断孔５０を介して露出する。
【００５４】
Ｘ方向及びＹ方向が直交しない切断装置１においてテンプレート５が作成された場合について説明する。図６では、第２傾斜角度がθ２度（０．３０度）であり、第２傾斜方向が正方向である場合が示されている。ここで上記のように、切断孔組５８のうち基準切断孔組５０Ａの第１傾斜角度は、０度である。ｍ番目の一方側切断孔組５８Ａ（５１Ａ〜５７Ａ）の第１傾斜角度は、「ｍ×０．０６度」であり、第２傾斜方向は正方向である。ｍ番目の他方側切断孔組５８Ｂ（５１Ｂ〜５７Ｂ）の第１傾斜角度は、「ｍ×０．０６度」であり、第２傾斜方向は負方向である。第１傾斜方向は負方向となる。５（ｍ＝５）番目の他方側切断孔組５８Ｂ（切断孔組５５Ｂ）の第１傾斜角度（０．３（＝５×０．０６）度）と第２傾斜角度θ２（０．３度）とは一致する。一方、切断孔組５５Ｂの第１傾斜方向（負方向）と第２傾斜方向（正方向）とは相違する。従って、図６（Ａ）に示すように、切断孔組５５Ｂの基準直線５Ａ、５Ｂは、Ｘ方向と直交する。
【００５５】
切断孔組５５Ｂの基準直線５Ａ、５Ｂは、Ｘ方向と平行な折り目直線６１に対しても直交する。切断孔組５５Ｂに含まれる切断孔５３５、５６５は、折り目直線６１に対して線対称の関係を有する。従って、テンプレート５が折り目直線６１で折り曲げられた場合、図６（Ｂ）に示すように、切断孔５３５の基準辺Ｃ５と切断孔５６５の基準辺Ｃ７、及び、切断孔５３５の基準辺Ｃ６と切断孔５６５の基準辺Ｃ８は、正確に重なる。この場合、着色された第１領域２０Ａは、切断孔５３５を介して露出しない。一方、折り目直線６１に対して基準直線５Ａ、５Ｂが傾斜する切断孔組５０Ａ、５１Ａ〜５７Ａ、５１Ｂ〜５４Ｂ、５６Ｂ、５７Ｂのそれぞれに含まれる２つの切断孔５０は、折り目直線６１に対して線対称の関係を有さない。このため、被切断媒体２０が折り目直線６１で折り曲げられた場合、切断孔５０の基準辺Ｃ５、Ｃ７と基準辺Ｃ６、Ｃ８とは、ずれた状態で重なる。この場合、着色された第１領域２０Ａが、切断孔５０を介して露出する。
【００５６】
例えばユーザは、テンプレート５を折り目直線６１で折り曲げ、第１領域２０Ａが露出しない切断孔５０を含む切断孔組５８を特定する。ユーザは、特定された切断孔組５８に対応付けられた識別子６２を更に特定する。なお、特定される識別子６２は、第１傾斜角度及び第１傾斜方向を示している。例えば図６（Ｂ）の場合、第１領域２０Ａが露出しない切断孔５３５を含む切断孔組５５Ｂに対応付けられた識別子６２「−５」が特定され、「第１傾斜角度：０．３（＝５×０．０６）度、第１傾斜方向：負方向（−）」が特定される。この場合、第１傾斜角度と一致する第２傾斜角度、及び、第１傾斜方向と相違する第２傾斜方向は、それぞれ、直交方向に対するＹ方向の傾斜角度及び傾斜方向を示す。このように、テンプレート５が用いられることによって、切断装置１においてＸ方向と直交する方向（直交方向）に対してＹ方向がどの程度ずれているかを特定することが可能となる。
【００５７】
＜切断データの補正方法＞
制御回路７１は、後述のメイン処理（図８、図９参照）を実行することによって、特定された識別子６２に基づいて切断データの補正を行う。概要は次の通りである。図６に示すように、第１傾斜角度として０．３度（＝θ２度）が特定され、第１傾斜方向として負方向が特定された場合を例示する。
【００５８】
図７に示すように、制御回路７１は、切断データのＸＹ座標系において、Ｘ軸を、第１傾斜方向（負方向）と反対方向（正方向）に、第１傾斜角度θ２分回転させる演算を行う。以下、第１傾斜方向と反対方向に第１傾斜角度分回転されたＸ軸を、「補正Ｘ軸」という。なお、第１傾斜方向（負方向）と反対方向（正方向）にＸ軸を第１傾斜角度θ２分回転させることは、即ち、第２傾斜方向にＸ軸を第２傾斜方向分回転させることになる。つまり、補正Ｘ軸は、Ｙ方向と直交する方向を向くようにＸ軸が補正されたものといえる。制御回路７１は、補正Ｘ軸及びＹ軸によって示される補正ＸＹ座標系で切断位置の座標が示されるように、切断データを補正する。
【００５９】
この場合、補正された切断データによって示される座標Ｐ１１、Ｐ１２間及び座標Ｐ２１、Ｐ２２間のそれぞれを結ぶ線分は、補正Ｘ軸に沿って延びるので、Ｙ方向に対して直交する。一方、座標Ｐ１１、Ｐ２１間及び座標Ｐ１２、Ｐ２２間のそれぞれを結ぶ線分は、Ｙ方向に沿って延びる。このため、座標Ｐ１１、Ｐ１２間及び座標Ｐ２１、Ｐ２２間のそれぞれを結ぶ線分に対応する切断位置と、座標Ｐ１１、Ｐ２１間及び座標Ｐ１２、Ｐ２２間のそれぞれを結ぶ線分に対応する切断位置とは、互いに直交する。従って、補正された切断データに基づいて切断処理が実行された場合、被切断媒体２０に形成される切れ目（Ｃ１〜Ｃ４）を有する切断孔４０Ｃの形状は、長方形となる。
【００６０】
以上のように、制御回路７１は、ユーザによって特定された識別子６２に基づいて算出された補正Ｘ軸及びＹ軸によって示される補正ＸＹ座標系に基づいて、切断データを補正する。制御回路７１は、補正された切断データに基づいて切断処理を実行する。これによって、Ｘ方向とＹ方向とが互いに直交しない場合でも、ＸＹ座標系に基づく切断データの切断位置が被切断媒体２０に適切に再現される。
【００６１】
＜メイン処理＞
図８、図９を参照し、切断装置１の制御回路７１によって実行されるメイン処理について説明する。ユーザは、着色された第１領域２０Ａ、及び、着色されていない第２領域２０Ｂを一方側の面に有し、且つ、他方側の面が着色されていない被切断媒体２０を準備する。ユーザは、保持シート１０の粘着層１００に、被切断媒体２０の他方側の面を貼り付ける。この場合、第１領域２０Ａ及び第２領域２０Ｂを有する一方側の面は、被切断媒体２０の表面に対応し、他方側の面は、被切断媒体２０の裏面に対応する。ユーザは、保持シート１０をプラテン３にセットする。このとき、被切断媒体２０の第１領域２０Ａが前側又は後側を向くように、保持シート１０の向きが調整される。検出センサ７６は、プラテン３にセットされた保持シート１０の先端を検出する。制御回路７１は、検出センサ７６から出力される検出信号によって、保持シート１０がプラテン３にセットされたと判定する。
【００６２】
切断装置１の制御回路７１は、開始指示を選択可能な画像をＬＣＤ３５Ａに表示する。ユーザは、タッチパネル３５Ｃを介して画像を選択し、開始指示を入力する。制御回路７１は、タッチパネル３５Ｃを介して入力された開始指示を検出した場合、フラッシュメモリ７２に記憶されたプログラムを実行することによって、メイン処理を開始する。
【００６３】
図８に示すように、制御回路７１は、スキャナ部６を駆動して、保持シート１０に保持された被切断媒体２０を読み取らせる。制御回路７１は、スキャナ部６によって生成された画像データを取得する（Ｓ１１）。制御回路７１は、被切断媒体２０のＸ方向及びＹ方向のそれぞれの長さを、取得された画像データに基づいて特定する（Ｓ１３）。以下、被切断媒体２０のＸ方向の長さを、Ｍｘ（図１参照）と表記する。被切断媒体２０のＹ方向の長さを、Ｍｙ（図１参照）と表記する。制御回路７１は、被切断媒体２０のうち着色された第１領域２０Ａと着色されていない第２領域２０Ｂとを、Ｓ１１の処理によって取得された画像データに基づいて特定する。制御回路７１は、被切断媒体２０の第１領域２０Ａが、切断装置１に対して前側又は後側の何れの側に配置されているかを更に判定する（Ｓ１５）。制御回路７１は、テンプレート作成処理（図９参照）を開始する（Ｓ１７）。
【００６４】
図９を参照し、テンプレート作成処理について説明する。制御回路７１は、Ｓ１３（図８参照）の処理によって特定されたＭｘ（図１参照）に基づき、テンプレート５のＸ方向の長さＴｘを算出する（Ｓ３１）。例えばＴｘは、Ｍｘに所定の割合（例えば、７０％）を乗算することによって算出される。制御回路７１は、算出されたＴｘに基づき、テンプレート５に含まれる切断孔組５８の数を決定する（Ｓ３３）。以下、テンプレート５に含まれる切断孔組の数を、Ｎと表記する。Ｎは、Ｔｘ、Ｆｘ（図４参照）Ｈｘ（図４参照）、Ｈｄ（図４参照）に基づき、次の式（１）によって算出される。
Ｎ  ＝  （（Ｔｘ−（２×Ｆｘ）＋Ｈｄ）／（Ｈｘ＋Ｈｄ）・・・（１）
【００６５】
制御回路７１は、算出されたＮが偶数であるか判定する（Ｓ３５）。制御回路７１は、Ｎが偶数であると判定された場合（Ｓ３５：ＹＥＳ）、Ｎから１を減算し、Ｎを奇数に更新する（Ｓ３７）。制御回路７１は処理をＳ３９に進める。制御回路７１は、Ｎが奇数であると判定された場合（Ｓ３５：ＮＯ）、処理をＳ３９に進める。
【００６６】
制御回路７１は、Ｓ１３（図８参照）の処理によって特定されたＭｙ（図１参照）に基づき、テンプレート５のＹ方向の長さＴｙを算出する（Ｓ３９）。例えばＴｙは、Ｍｙに所定の割合（例えば、９０％）を乗算することによって算出される。制御回路７１は、Ｓ３１の処理によって算出されたＴｘ、及び、Ｓ３９の処理によって算出されたＴｙに基づき、テンプレート５の枠線２０Ｃ（図４参照）の位置を示す座標を特定する（Ｓ４０）。
【００６７】
制御回路７１は、Ｓ３１の処理によって算出されたＴｘに基づき、テンプレート５のＸ方向における中心位置を特定する。制御回路７１は、中心位置から左右両側に「Ｈｘ／２」ずつ離隔したそれぞれの位置を通り、且つ、Ｙ方向と平行に延びる基準直線５Ａ、５Ｂを特定する。基準直線５Ａ、５Ｂ間のＸ方向の長さは、Ｈｘとなる。制御回路７１は、特定した基準直線５Ａ、５Ｂ上に配置され、且つ、Ｓ１５（図８参照）の処理によって特定された第１領域２０Ａ内に配置される基準辺Ｃ７、Ｃ８の位置を示す座標を特定する。制御回路７１は、特定した基準直線５Ａ、５Ｂ上に配置され、且つ、基準辺Ｃ７，Ｃ８に対してＹ方向と平行な方向に「Ｔｙ−（２×（Ｆｙ＋Ｈｙ））」離隔した位置に配置される基準辺Ｃ５、Ｃ６の位置を示す座標を特定する。なお、基準辺Ｃ５、Ｃ６は、Ｓ１５（図８参照）の処理によって特定された第２領域２０Ｂ内に配置される。基準辺Ｃ５〜Ｃ８のＹ方向の長さは、Ｈｙとされる。
【００６８】
制御回路７１は、基準辺Ｃ５、Ｃ６に基づき、基準切断孔組５０Ａに含まれる切断孔５１０の位置を示す座標を特定する。制御回路７１は、基準辺Ｃ７、Ｃ８に基づき、基準切断孔組５０Ａに含まれる切断孔５４０の位置を示す座標を特定する（Ｓ４１）。
【００６９】
制御回路７１は、位置が特定された基準切断孔組５０Ａに対する一方側切断孔組５８Ａ及び他方側切断孔組５８Ｂのそれぞれの数を算出する（Ｓ４３）。以下、一方側切断孔組５８Ａ及び他方側切断孔組５８Ｂのそれぞれの数を、Ｎｓと表記する。Ｎｓは、次の式（２）によって算出される。
Ｎｓ  ＝  （Ｎ−１）／２・・・（２）
【００７０】
制御回路７１は、一方側切断孔組５８Ａ及び他方側切断孔組５８Ｂのそれぞれの第１傾斜角度を算出する（Ｓ４５）。ｍ番目の一方側切断孔組５８Ａ、及び、ｍ番目の他方側切断孔組５８Ｂのそれぞれの第１傾斜角度を、θｍと表記する。θｍは、Ｎｓ、θｓ（＝０．４２度）、ｍに基づき、次の式（３）によって算出される。
θｍ  ＝  （θｓ／Ｎｓ）×ｍ・・・（３）
又、一方側切断孔組５８Ａの第１傾斜方向が正方向とされ、他方側切断孔組５８Ｂの第１傾斜方向が負方向とされる。
【００７１】
制御回路７１は、Ｓ４５の処理によって算出された第１傾斜角度θｍ及び第１傾斜方向に基づき、基準切断孔組５０Ａの切断孔５４０を除く（２×Ｎｓ）個の第１切断孔５０１のそれぞれの基準辺Ｃ７、Ｃ８の位置を示す座標を特定する。基準辺Ｃ７、Ｃ８の位置は、Ｓ１５の処理によって特定された第１領域２０Ａ内の何れかの位置とされる。ｍ番目の一方側切断孔組５８Ａに対応する基準辺Ｃ７、Ｃ８は、第１傾斜角度分正方向に傾斜する。ｍ番目の他方側切断孔組５８Ｂに対応する基準辺Ｃ５、Ｃ６は、第１傾斜角度分負方向に傾斜する。基準辺Ｃ７，Ｃ８の間のＸ方向の長さは、Ｈｘとされる。基準辺Ｃ７、Ｃ８のＹ方向の長さは、Ｈｙとされる。ｍ番目の一方側切断孔組５８Ａに対応する基準辺Ｃ８と、（ｍ＋１）番目の一方側切断孔組５８Ａに対応する基準辺Ｃ８との間のＸ方向の長さは、Ｈｄとされる。ｍ番目の他方側切断孔組５８Ｂに対応する基準辺Ｃ７と、（ｍ＋１）番目の他方側切断孔組５８Ｂに対応する基準辺Ｃ８との間のＸ方向の長さは、Ｈｄとされる。制御回路７１は、特定された基準辺Ｃ７、Ｃ８に基づき、基準切断孔組５０Ａの切断孔５４０を除く第１切断孔５０１の位置を示す座標を特定する。
【００７２】
制御回路７１は、基準辺Ｃ７を通る基準直線５Ａ、及び、基準辺Ｃ８を通る基準直線５Ｂをそれぞれ特定する。制御回路７１は、特定された基準直線５Ａ、５Ｂ上に配置され、且つ、基準辺Ｃ７、Ｃ８からＹ方向と平行な方向に「Ｔｙ−（２×（Ｆｙ＋Ｈｙ）」離隔した基準辺Ｃ５、Ｃ６の位置を示す座標を特定する。基準辺Ｃ５，Ｃ６の位置は、Ｓ１５の処理によって特定された第２領域２０Ｂ内の何れかの位置とされる。基準辺Ｃ５，Ｃ６の間のＸ方向の長さは、Ｈｘとされる。基準辺Ｃ５、Ｃ６のＹ方向の長さは、Ｈｙとされる。制御回路７１は、特定された基準辺Ｃ５、Ｃ６に基づき、基準切断孔組５０Ａの切断孔５１０を除く第２切断孔５０２の位置を示す座標を特定する（Ｓ４７）。
【００７３】
制御回路７１は、Ｓ３９の処理によって特定されたＴｙに基づき、テンプレート５のＹ方向における中心位置を特定する。制御回路７１は、中心位置を取ってＸ方向と平行に延びる直線上の位置を示す座標を、折り目直線６１の位置を示す座標として特定する（Ｓ４９）。
【００７４】
制御回路７１は、Ｓ４７の処理によって特定された第２切断孔５０２のそれぞれに対応する識別子６２を特定する。具体的には、制御回路７１は、第２切断孔５０２のうち基準切断孔組５０Ａの切断孔５１０に対応する識別子６２として「０」を特定する。制御回路７１は、第２切断孔５０２のうちｍ番目の一方側切断孔組５８Ａの切断孔５０に対応付ける識別子６２として、「＋ｍ」を特定する。制御回路７１は、第２切断孔５０２のうちｍ番目の他方側切断孔組５８Ｂの切断孔５０に対応付ける識別子６２として、「−ｍ」を特定する。各識別子６２は、上下左右方向が反転される。制御回路７１は、第２領域２０Ｂのうち切断孔５０の近傍の位置を示す座標を、対応する識別子６２の位置を示す座標として特定する（Ｓ５１）。
【００７５】
制御回路７１は、Ｓ４１（基準切断孔組５０Ａ）、Ｓ４７（一方側切断孔組５８Ａ、他方側切断孔組５８Ｂ）、Ｓ４９（折り目直線６１）、Ｓ５１（識別子６２）のそれぞれの処理によって決定された座標によって切断位置が示されるテンプレート切断データを作成する（Ｓ５３）。制御回路７１は、作成されたテンプレート切断データをフラッシュメモリ７２に記憶する。制御回路７１は、テンプレート作成処理を終了させ、処理をメイン処理（図８参照）に戻す。
【００７６】
図８に示すように、制御回路７１は、テンプレート作成処理（図９参照）によって作成されたテンプレート切断データに基づき、切断処理を実行する（Ｓ２１）。これによって、枠線２０Ｃに沿った切れ目が形成される。又、基準切断孔組５０Ａ、一方側切断孔組５８Ａ、他方側切断孔組５８Ｂ、折り目直線６１、及び、識別子６２を含むテンプレート５（図４参照）が、被切断媒体２０のうち枠線２０Ｃ内に形成される。
【００７７】
制御回路７１は、テンプレート５を折り目直線６１で折り曲げることをユーザに促すための画像、及び、識別子６２を入力することをユーザに促すための画像を、ＬＣＤ３５Ａに表示させる。ユーザは、保持シート１０に貼付された被切断媒体２０から枠線２０Ｃの内部を剥がすことによって、テンプレート５を取り出す。ユーザは、被切断媒体２０を折り目直線６１で折り曲げる。ユーザは、切断孔組５８のうち、第１切断孔５０１及び第２切断孔５０２のそれぞれの基準辺Ｃ５〜Ｃ８同士が正確に重なる切断孔組５８、言い換えれば、第１領域２０Ａが露出しない切断孔５０を含む切断孔組５８を特定する。ユーザは、特定された切断孔組５８に対応付けられた識別子６２を更に特定する。ユーザは、特定された識別子６２（「−ｍ」〜「＋ｍ」の何れか）を、タッチパネル３５Ｃを介して切断装置１に入力する。
【００７８】
図８に示すように、制御回路７１は、操作スイッチ３５Ｂを介して入力された識別子６２を受け付ける（Ｓ２３）。制御回路７１は、受け付けられた識別子６２に基づき、第１傾斜方向及び第１傾斜角度を特定する（Ｓ２５）。詳細には次の通りである。制御回路７１は、受け付けられた識別子６２が「０」の場合、「第１傾斜方向：なし、第１傾斜角度：０度」を特定する。制御回路７１は、受け付けられた識別子６２が「＋ｍ」の場合、「第１傾斜方向：正方向、第１傾斜角度：（θｓ／Ｎｓ）×ｍ」を特定する。制御回路７１は、受け付けられた識別子６２が「−ｍ」の場合、「第１傾斜方向：負方向、第１傾斜角度：（θｓ／Ｎｓ）×ｍ」を特定する。
【００７９】
ここで、特定された第１傾斜方向及び第１傾斜角度が、「第１傾斜方向：なし、第１傾斜角度：０度」の場合、Ｘ方向及びＹ方向は互いに直交している。又、特定された第１傾斜方向及び第１傾斜角度が、「第１傾斜方向：正方向、第１傾斜角度：（θｓ／Ｎｓ）×ｍ」の場合、Ｙ方向は直交方向に対して、負方向に「（θｓ／Ｎｓ）×ｍ」分傾斜している。又、特定された第１傾斜方向及び第１傾斜角度が、「第１傾斜方向：負方向、第１傾斜角度：（θｓ／Ｎｓ）×ｍ」の場合、Ｙ方向は直交方向に対して正方向に「（θｓ／Ｎｓ）×ｍ」分傾斜している。
【００８０】
制御回路７１は、フラッシュメモリ７２に記憶された切断データのＸＹ座標系のうちＸ軸を、特定された第１傾斜方向と反対方向に第１傾斜角度分回転させる演算を行う（Ｓ２７）。制御回路７１は、算出された補正Ｘ軸及びＹ軸によって示される補正ＸＹ座標系で切断位置が示されるように、切断データを補正する（Ｓ２９）。なお、上記の座標系の変換方法は、「アフィン変換（スキュー）」として一般的に知られている。制御回路７１はメイン処理を終了させる。
【００８１】
メイン処理の終了後、例えばユーザは、特定の切断データを指定して切断装置１に切断処理を実行させるための切断指示を、タッチパネル３５Ｃを介して入力する。制御回路７１は、切断指示が入力された場合、Ｓ２９の処理によって補正された切断データに基づいて、切断処理を実行する。この場合、切断装置１においてＸ方向とＹ方向とが互いに直交しない場合でも、切断データの切断位置は被切断媒体２０に適切に再現される。
【００８２】
＜本実施形態の主たる作用、効果＞
以上のように、テンプレート５が折り目直線６１に沿って折り曲げられた場合、切断孔組５８の２つの切断孔５０の少なくとも一部分同士が重なる（図５（Ｂ）、図６（Ｂ）参照）。ここで、Ｙ方向に対する基準直線５Ａ、５Ｂの傾斜角度（第１傾斜角度）と、直交方向に対するＹ方向の傾斜角度（第２傾斜角度）とが一致し、且つ、第１傾斜角度の傾斜方向（第１傾斜方向）と、第２傾斜角度の傾斜方向（第２傾斜方向）とが相違する場合、基準直線５Ａ、５Ｂに対応する切断孔組５８の２つの切断孔５０は、折り目直線６１に対して線対称となる。従って、基準直線５Ａ上の基準辺Ｃ５、Ｃ７と、基準直線５Ｂ上の基準辺Ｃ６、Ｃ８とは、被切断媒体２０が折り曲げられた場合に正確に重なる。
【００８３】
切断装置１の制御回路７１は、基準辺Ｃ５〜Ｃ８が良好に重なる切断孔組５８に対応付けられた識別子６２を、ユーザから受け付ける（Ｓ２３）。制御回路７１は、受け付けられた識別子６２に対応する第１傾斜角度及び第１傾斜方向に基づいて、切断データにおけるＸＹ座標系のうちＸ軸を補正する（Ｓ２７）。制御回路７１は、補正Ｘ軸とＹ軸とによって示される補正ＸＹ座標系に基づいて、切断データを補正する（Ｓ２９）。この場合、制御回路７１は、補正後の切断データに基づいて切断処理を実行することによって、切断装置１においてＸ方向とＹ方向とが直交しない場合でも、補正前の切断データに対応する切断位置が正確に再現された切断パターンを、被切断媒体２０に形成させることができる。
【００８４】
テンプレート５の切断孔組５８は、基準切断孔組５０Ａ、一方側切断孔組５８Ａ、及び、他方側切断孔組５８Ｂを有する。基準切断孔組５０Ａは、Ｙ方向と平行な基準直線５Ａ、５Ｂ上に重なる基準辺Ｃ５〜Ｃ８を有する。一方側切断孔組５８Ａは、正方向に傾斜した基準直線５Ａ、５Ｂ上に重なる基準辺Ｃ５〜Ｃ８を有する。他方側切断孔組５８Ｂには、負方向に傾斜した基準直線５Ａ、５Ｂ上に重なる基準辺Ｃ５〜Ｃ８を有する。このため切断装置において、Ｙ方向が直交方向に対して正方向及び負方向の何れの側に傾斜する場合でも、ユーザは、テンプレート５を折り目直線６１で折り曲げた場合に２つの基準辺Ｃ５〜Ｃ８が正確に重なる切断孔組５８を見つけることができる。従って、切断装置１の制御回路７１は、正確に重なる基準辺Ｃ５〜Ｃ８を有する切断孔組５８に対応付けられた識別子６２に基づいて、切断データを適切に補正できる。
【００８５】
一方側切断孔組５８Ａ及び他方側切断孔組５８Ｂには、それぞれ複数の切断孔組５８が含まれる。ｍ番目の一方側切断孔組５８Ａの第１傾斜角度は、（θｓ／Ｎｓ）×ｍであり、第１傾斜方向は正方向である。ｍ番目の他方側切断孔組５８Ｂの第１傾斜角度は、（θｓ／Ｎｓ）×ｍであり、第１傾斜方向は負方向である。つまり、一方側切断孔組５８Ａ及び他方側切断孔組５８Ｂのそれぞれの第１傾斜角度及び第１傾斜角度は、互いに相違する。ユーザは、テンプレート５を折り目直線６１で折り曲げた場合に基準辺Ｃ５〜Ｃ８が正確に重なる切断孔組５８を、（θｓ／Ｎｓ）×ｍ度単位で精度良く見つけることができる。制御回路７１は、識別子６２に基づいて切断データを補正することによって、Ｘ軸の補正を（θｓ／Ｎｓ）×ｍ度単位で実行できる。従って、制御回路７１は、切断データの補正の精度を向上させることができる。
【００８６】
制御回路７１は、フラッシュメモリ７２に記憶された切断データのＸＹ座標系のうちＸ軸を、受け付けられた識別子６２に対応する第１傾斜方向と反対方向に、第１傾斜角度分回転させる（Ｓ２７）。制御回路７１は、補正Ｘ軸及びＹ軸によって示される補正ＸＹ座標系で切断位置が示されるように、切断データを補正する（Ｓ２９）。なお、受け付けられた識別子６２に対応する第１傾斜角度は第２傾斜角度と一致する。受け付けられた識別子６２に対応する第１傾斜方向は、第２傾斜方向と相違する。このため、補正Ｘ軸は、Ｘ軸がＹ方向と直交する方向を向くように補正されたものといえる。このため、制御回路７１は、直交方向に対する第２方向のずれを補完することができるので、切断データを適切に補正できる。
【００８７】
ユーザは、テンプレート５が折り目直線６１で折り曲げられた場合に基準辺Ｃ５〜Ｃ８が良好に重なる切断孔組５８に対応する識別子６２を、切断装置１に入力する。制御回路７１は、入力された識別子６２に応じて第１傾斜角度及び第２傾斜方向を特定し（Ｓ２５）、切断データを補正できる（Ｓ２９）。従ってユーザは、切断装置１による切断データの補正を、識別子６２の入力操作によって容易に実現できる。
【００８８】
テンプレート５は、第１領域２０Ａに第２領域２０Ｂが表面側から重ねられるように折り曲げられる。第１切断孔５０１の基準辺Ｃ５と第２切断孔５０２の基準辺Ｃ７、及び、第１切断孔５０１の基準辺Ｃ６と第２切断孔５０２の基準辺Ｃ８がずれた状態で重なる場合、着色された第１領域２０Ａが、切断孔５０を介して露出する。一方、第１切断孔５０１の基準辺Ｃ５と第２切断孔５０２の基準辺Ｃ７、及び、第１切断孔５０１の基準辺Ｃ６と第２切断孔５０２の基準辺Ｃ８が正確に重なる場合、着色された第１領域２０Ａは、切断孔５０を介して露出しない。このように、ユーザは、テンプレート５が折り曲げられた場合の２つの切断孔５０の重なり具合を、第１領域２０Ａの着色部分を利用して容易に特定できる。
【００８９】
識別子６２は、被切断媒体２０を表面側から見たときに上下左右方向が反転された状態となるように形成される。テンプレート５が、第１領域２０Ａに第２領域２０Ｂが表面側から重ねられるように折り曲げられた場合、第２領域２０Ｂに形成された識別子６２は、被切断媒体２０の裏面側からユーザによって視認される。裏面側から視認された場合の識別子６２は、反転されていない状態で視認可能となる。つまりユーザは、反転された識別子６２を正しく視認する為に、着色された第１領域２０Ａ（表面）に第２領域２０Ｂ（裏面）が重なるように、テンプレート５を折り曲げる。このように、テンプレート５において、反転された識別子６２を、着色されていない第２領域２０Ｂに形成することによって、ユーザがテンプレート５を常に同一向きに折り曲げるように促すことができる。この場合、制御回路７１は、切断孔組に対応する識別子を正しく認識できる。
【００９０】
制御回路７１は、被切断媒体２０のＸ方向の長さＭｘに基づいてテンプレート５のＸ方向の長さＴｘを特定し（Ｓ３１）、特定されたＴｘに基づき、式（１）を適用して切断孔組５８の数Ｎを決定する（Ｓ３３）。制御回路７１は、Ｔｘが大きい程、大きいＮを決定でき、切断孔組５８の数を大きくできる。なお、切断孔組５８の数が大きい場合、それぞれの第１傾斜角度の相違量を小さくできる。この場合、直交方向に対するＹ方向のずれの程度（第２傾斜角度）がより細かく特定されるので、制御回路７１は、直交方向に対するＹ方向の傾斜の程度を精度良く特定できる。従って、制御回路７１は、Ｘ軸を高い精度で補正できる。
【００９１】
制御回路７１は、テンプレート５のＹ方向の長さＴｙを特定し（Ｓ３９）、特定されたＴｙに基づき、切断孔組５８に含まれる２つの切断孔５０の間の長さを決定する（Ｓ４１、Ｓ４７）。制御回路は、テンプレート５のＹ方向の長さが大きい程、切断孔組５８に含まれる２つの切断孔５０の間の距離を長くできる。なお、２つの切断孔組５８の間の長さが長い程、折り目直線６１に対して線対称とならない場合に基準辺Ｃ５〜Ｃ８のずれ量は大きくなる。一方、折り目直線６１に対して線対称となる場合の基準辺Ｃ５〜Ｃ８の位置は、２つの切断孔組５８の間の長さに関わらず正確に一致する。このため、制御回路７１は、切断孔組５８に含まれる２つの切断孔５０の間の距離を長くすることによって、直交方向に対する第２方向の傾斜の程度を精度良く特定できる。
【００９２】
＜変形例＞
本発明は上記実施形態に限定されず、種々の変更が可能である。メイン処理の各ステップは、制御回路７１によって実行される例に限定されず、一部又は全部が他の電子機器（例えば、ＡＳＩＣ）によって実行されてもよい。メイン処理の各ステップは、複数の電子機器（例えば、複数のＣＰＵ）によって分散処理されてもよい。メイン処理の各ステップは、必要に応じて順序の変更、ステップの省略、及び追加が可能である。切断装置１は、ヘッド２の位置を固定し、保持シート１０をＸ方向及びＹ方向に移動させることによって、カッタ１６に対する被切断媒体２０の位置をＸ方向及びＹ方向に相対移動させてもよい。
【００９３】
テンプレート５の周端部は、被切断媒体２０の周端部と一致してもよい。即ち、テンプレート５は、枠線２０Ｃに沿った切れ目によって被切断媒体２０から切り取られるのではなく、被切断媒体２０に複数の切断孔５０、折り目直線６１、及び、複数の識別子６２が形成されることによって、被切断媒体２０に直接作成されてもよい。切断孔５０の形状は、長方形状に限定されない。例えば、切断孔５０の代わりに、１本の基準直線上に沿って延びるスリット状の孔が用いられてもよい。折り目直線６１は、切れ目６１Ａを複数有するミシン目状に限定されない。例えば、折り目直線６１は、加工部材としてペンを有するカートリッジ４がカートリッジホルダ３２に装着された状態で被切断媒体２０に描画される直線であってもよい。
【００９４】
一方側切断孔組５８Ａ及び他方側切断孔組５８Ｂのそれぞれの数は、１つでもよいし複数でもよい。基準切断孔組５０Ａ、一方側切断孔組５８Ａ、及び、他方側切断孔組５８Ｂの配列順は、上記実施形態に限定されない。一方側切断孔組５８Ａ及び他方側切断孔組５８Ｂの第１傾斜角度は、基準切断孔組５０Ａからの順番に関わらず、ランダムに配置されてもよい。
【００９５】
制御回路７１は、受け付けられた識別子６２に基づいて特定される第１傾斜角度及び第１傾斜方向に基づき、Ｙ軸を、第１傾斜方向に第１傾斜角度分回転させることによって、Ｙ軸を補正してもよい。制御回路７１は、Ｘ軸と、補正された補正Ｙ軸とによって示される補正ＸＹ座標系で切断位置が示されるように、切断データを補正してもよい。
【００９６】
ユーザは、折り目直線６１で折り曲げられた状態のテンプレート５を保持シート１０に保持し、切断装置１のスキャナ部６によってテンプレート５を読み取らせてもよい。制御回路７１は、折り目直線６１で折り曲げられた状態のテンプレート５の画像データを、スキャナ部６から取得してもよい。制御回路７１は、取得された画像データに基づき、基準辺Ｃ５〜Ｃ８が正確に重なる切断孔組５８を特定してもよい。制御回路７１は、特定された切断孔組５８の第１傾斜角度及び第１傾斜方向を特定し、切断データを補正してもよい。
【００９７】
被切断媒体２０は、表面全体が着色され、裏面全体が着色されていなくてもよい。この場合でも、テンプレート５が折り目直線６１で折り曲げられた場合、表面の着色部分は、折り目直線６１に対して線対称となる基準辺Ｃ５〜Ｃ８を含む切断孔５０から露出しない。一方、折り目直線６１に対して線対称とならない基準辺Ｃ５〜Ｃ８を含む切断孔５０から露出する。このため、ユーザは、テンプレート５が折り曲げられた場合の２つの切断孔５０の重なり具合を、表面の着色部分を利用して容易に特定できる。
【００９８】
ユーザは、テンプレート５を折り曲げる場合、テンプレート５の裏面どうしが重なるように折り目直線６１に沿って折り曲げてもよい。この場合、制御回路７１は、テンプレート５の第１領域２０Ａに識別子６２を形成してもよい。又、識別子６２は、加工部材としてペンを有するカートリッジ４がカートリッジホルダ３２に装着された状態で描画されてもよい。
【００９９】
制御回路７１は、テンプレート５のＸ方向の長さＴｘを特定し、特定されたＴｘに基づいて切断孔組５８の数Ｎを決定した。これに対し、被切断媒体２０全体がテンプレート５として用いられる場合、制御回路７１は、被切断媒体２０のＸ方向の長さＭｘを特定し、特定されたＭｘに基づいて切断孔組５８の数Ｎを決定してもよい。又、切断孔組５８の数は、被切断媒体２０及びテンプレート５のＸ方向の長さＭｘ、Ｔｘに関わらず一定であってもよい。制御回路７１は、Ｍｘ、Ｔｘの長さに応じて、各切断孔組５８がテンプレート５のＸ方向に均等配置されるように、各切断孔組５８のそれぞれの間の間隔を調整してもよい。
【０１００】
制御回路７１は、テンプレート５のＹ方向の長さＴｙを特定し、特定されたＴｙに基づき、切断孔組５８に含まれる２つの切断孔５０の間の長さを決定した。これに対し、被切断媒体２０全体がテンプレート５として用いられる場合、制御回路７１は、被切断媒体２０のＹ方向の長さＭｙを特定し、特定されたＭｙに基づいて、切断孔組５８に含まれる２つの切断孔５０の間の長さを決定してもよい。又、切断孔組５８に含まれる２つの切断孔５０の間の長さは、被切断媒体２０及びテンプレート５のＹ方向の長さＭｙ、Ｔｙに関わらず一定であってもよい。
【０１０１】
メイン処理は、例えば切断装置１の出荷前に実行されてもよい。このとき、テンプレート作成処理（Ｓ１７）が実行されることに応じて作成されるテンプレート切断データは、ＥＥＰＲＯＭ７４に記憶されてもよい。つまり、切断装置１は、テンプレート切断データがＥＥＰＲＯＭ７４に記憶された状態で出荷されてもよい。この場合、制御回路７１は、出荷後にユーザによって開始指示が入力された場合、メイン処理を実行せず、ＥＥＰＲＯＭ７４に予め記憶されたテンプレート切断データに基づいて切断処理を実行することによって、テンプレート５を作成してもよい。
【０１０２】
制御回路７１は、Ｓ２５の処理によって特定された第１傾斜方向及び第１傾斜角度を、フラッシュメモリ７２に記憶してもよい。又、制御回路７１は、Ｓ２７の処理によって算出された補正Ｘ軸を示すデータを、フラッシュメモリ７２に記憶してもよい。これらの場合、制御回路７１は、切断データの補正（Ｓ２９）をメイン処理中で実行しなくてもよい。例えば制御回路７１は、ユーザによって切断指示が入力された場合、指定された切断データを、フラッシュメモリ７２に記憶された第１傾斜方向及び第１傾斜角度、又は、補正Ｘ軸を示すデータに基づいて補正してもよい。つまり、制御回路７１は、ユーザによって切断指示が入力されたタイミングで、切断処理に必要となる切断データを補正してもよい。
【０１０３】
＜その他＞
Ｘ軸は、本発明の「第１軸」の一例である。Ｙ軸は、本発明の「第２軸」の一例である。Ｘ方向は、本発明の「第１方向」の一例である。Ｙ方向は、本発明の「第２方向」の一例である。カッタ１６は本発明の「切断具」の一例である。カートリッジホルダ３２を含むヘッド２は、本発明の「保持部」の一例である。移送機構７及びヘッド移動機構８は、本発明の「移動機構」の一例である。Ｓ２１の処理を行う制御回路７１は、本発明の「切断手段」「第１形成手段」「第２形成手段」の一例である。Ｓ２３の処理を行う制御回路７１は、本発明の「第１特定手段」の一例である。Ｓ２９の処理を行う制御回路７１は、本発明の「補正手段」の一例である。Ｓ２７の処理を行う制御回路７１は、本発明の「算出手段」の一例である。識別子６２が入力されるタッチパネル３５Ｃは、本発明の「受付手段」の一例である。Ｓ１５の処理を行う制御回路７１は、本発明の「判定手段」の一例である。Ｓ３１の処理を行う制御回路７１は、本発明の「第２特定手段」の一例である。Ｓ３３の処理を行う制御回路７１は、本発明の「第１決定手段」の一例である。Ｓ３９の処理を行う制御回路７１は、本発明の「第３特定手段」の一例である。Ｓ４１、Ｓ４７の処理を行う制御回路７１は、本発明の「第２決定手段」の一例である。Ｓ２１の処理は、本発明の「切断ステップ」「第１形成ステップ」の一例である。Ｓ２３の処理は、本発明の「第１特定ステップ」の一例である。Ｓ２９の処理は、本発明の「補正ステップ」の一例である。
【符号の説明】
【０１０４】
１：切断装置、２：ヘッド、５：テンプレート、５Ａ、５Ｂ：基準直線、７：移送機構、８：ヘッド移動機構、１６：カッタ、２０：被切断媒体、２０Ａ：第１領域、２０Ｂ：第２領域、５０：切断孔、５８：切断孔組、５８Ａ：一方側切断孔組、５８Ｂ：他方側切断孔組、６１：折り目直線、６２：識別子、７１：制御回路
【図１】
2018015849.tif 000003
【図２】
2018015849.tif 000004
【図３】
2018015849.tif 000005
【図４】
2018015849.tif 000006
【図５】
2018015849.tif 000007
【図６】
2018015849.tif 000008
【図７】
2018015849.tif 000009
【図８】
2018015849.tif 000010
【図９】
2018015849.tif 000011